(57)【特許請求の範囲】
【請求項１】
Ｘ２インタフェース管理方法において、
第一基地局が、第二ホーム基地局に対応する第二セルである新規隣接セルを発見する工程と、
上記第一基地局が上記第二セルのアクセスモードを判断する工程と、
上記第二セルのアクセスモードがオープンモード又はハイブリッドモードであるとき、上記第一基地局と上記第二ホーム基地局との間の第一Ｘ２インタフェースを確立する工程と、
上記第二セルのアクセスモードがクローズドモードであるとき、上記第一基地局と第二ホーム基地局に共通のクローズドサブスクライバグループ識別子が配置されているか否かを判断する工程と、
上記第一基地局と第二ホーム基地局に共通のクローズドサブスクライバグループ識別子がないとき、いったん上記第二セルに接近している特定端末を検出すると、上記第一基地局と上記第二ホーム基地局との間の第一Ｘ２インタフェースを確立する工程と、
を含み、
上記特定端末とは、第一基地局に対応する第一セルに滞留し且つ上記第一セルと上記第二セルをアクセス可能な端末であり、
上記の上記第二セルに接近しているとは、上記特定端末には一定時間内に上記第二セルに進入する可能性があること、又は、上記特定端末と上記第二セルのカバー境界との間の距離が所定距離より小さいことであることを特徴とするＸ２インタフェース管理方法。
【請求項２】
上記第一基地局と第二ホーム基地局に共通のクローズドサブスクライバグループ識別子が配置されているとき、上記第一基地局と上記第二ホーム基地局との間の第一Ｘ２インタフェースを確立する工程
をさらに含むことを特徴とする請求項１に記載のＸ２インタフェース管理方法。
【請求項３】
上記の上記第一基地局と上記第二ホーム基地局との間の第一Ｘ２インタフェースを確立する工程は、
上記第一基地局がマクロ基地局であるとき、上記第二ホーム基地局がホーム基地局ゲートウェイを介して移動性管理実体に接続するか否かを判断し、肯定の場合、上記第一基地局と上記第二ホーム基地局との間にゲートウェイエージェントのＸ２インタフェースを確立し、否定の場合、上記第一基地局と上記第二ホーム基地局との間に直接的なＸ２インタフェースを確立する工程と、
上記第一基地局がホーム基地局であるとき、上記第一基地局と第二ホーム基地局が同一の移動性管理実体又は同一のホーム基地局ゲートウェイに接続するか否かを判断し、肯定の場合、上記第一基地局と上記第二ホーム基地局との間に直接的なＸ２インタフェースを確立し、否定の場合、上記第一基地局と上記第二ホーム基地局との間にゲートウェイエージェントのＸ２インタフェースを確立する工程と、
を含むことを特徴とする請求項１又は２に記載の方法。
【請求項４】
上記第一基地局が、所定の第一Ｘ２インタフェースの除去条件を満足するか否かを判断する工程と、
上記第一Ｘ２インタフェースの除去条件を満足したとき、上記第一基地局と上記第二ホーム基地局との間の第一Ｘ２インタフェースを除去する工程とをさらに含み、
上記第一Ｘ２インタフェースの除去条件には、
上記第二ホーム基地局に対応する第二セルが既に上記第一基地局の隣接セルから削除されていること、
第一基地局に対応する第一セルに滞留し且つ上記第一セルと上記第二セルをアクセス可能な端末である特定端末がすべて上記第二セルから離れていることを検出したこと、
上記第一基地局と第二ホーム基地局との間のＸ２インタフェースを介したハンドオーバの頻度が所定の第二閾値より低いか否かのこと
の少なくとも一つを含むことを特徴とする請求項１又は２に記載の方法。
【請求項５】
上記第一Ｘ２インタフェースが直接的なＸ２インタフェースであるとき、上記の上記第一基地局と上記第二ホーム基地局との間の第一Ｘ２インタフェースを除去する工程は、上記第一基地局と第二ホーム基地局において、上記第一Ｘ２インタフェースのコンテクストをそれぞれ削除する工程を含み、
上記第一Ｘ２インタフェースがゲートウェイエージェントのＸ２インタフェースであるとき、上記の上記第一基地局と上記第二ホーム基地局との間の第一Ｘ２インタフェースを除去する工程は、上記第二ホーム基地局とホーム基地局ゲートウェイとの間における上記第一Ｘ２インタフェースのフラグメント部分である第一フラグメントのコンテクストを削除し、更に、上記第一基地局とホーム基地局ゲートウェイとの間における上記第一Ｘ２インタフェースのフラグメント部分である第二フラグメントのうち、上記第一Ｘ２インタフェースに関するコンテクストを削除する工程を含むことを特徴とする請求項４に記載の方法。
【請求項６】
上記第一基地局と上記第二ホーム基地局にＸ２インタフェースが確立されていないとき、第一基地局と第二ホーム基地局との間のＳ１インタフェースを介したハンドオーバの頻度が所定の第一閾値を越えたか否かを判断する工程と、
上記Ｓ１インタフェースを介したハンドオーバの頻度が所定の第一閾値を越えたとき、上記第一基地局と上記第二ホーム基地局との間に第一Ｘ２インタフェースを確立する工程と、
をさらに含むことを特徴とする請求項４に記載の方法。
【請求項７】
請求項１又は２に確立された上記第一Ｘ２インタフェースに応用するハンドオーバ方法において、
送信元基地局である第一基地局が、端末に対するハンドオーバ要求メッセージを、上記第一Ｘ２インタフェースを介して宛先基地局である第二ホーム基地局に送信する工程と、
上記第二ホーム基地局が上記ハンドオーバ要求メッセージを受信すると、コア網ノードにアクセス制御要求メッセージを送信する工程と、
上記コア網ノードが上記端末の契約情報に基づいて、アクセス制御応答メッセージを上記第二ホーム基地局に返送する工程と、
上記第二ホーム基地局が上記アクセス制御応答メッセージに基づいて、上記端末のハンドオーバを許可するか否かのハンドオーバ要求応答メッセージを、上記第一Ｘ２インタフェースを介して上記第一基地局に返送する工程と、
上記ハンドオーバ要求応答メッセージによって上記端末のハンドオーバを許可することが示されるとき、上記第一基地局が上記端末にハンドオーバ指令を送信し、上記第二ホーム基地局に対応する第二セルにハンドオーバするように上記端末を制御する工程と、
を含むことを特徴とするハンドオーバ方法。
【請求項８】
請求項１又は２に確立された上記第一Ｘ２インタフェースに応用するハンドオーバ方法において、
送信元基地局である第一基地局が、上記第一基地局に対応する第一セルから上記第二ホーム基地局に対応する第二セルへの端末のハンドオーバを要求するための、上記端末に対するアクセス制御要求メッセージをコア網ノードに送信する工程と、
上記コア網ノードが上記端末の契約情報に基づいて、アクセス制御応答メッセージを上記第一基地局に返送する工程と、
上記アクセス制御応答メッセージによって上記端末のハンドオーバを許可することが示されるとき、上記第一基地局が、端末に対するハンドオーバ要求メッセージを、上記第一Ｘ２インタフェースを介して上記第二ホーム基地局に送信する工程と、
上記第二ホーム基地局が上記ハンドオーバ要求メッセージを受信すると、上記端末のハンドオーバを許可するハンドオーバ要求応答メッセージを上記第一Ｘ２インタフェースを介して上記第一基地局に返送する工程と、
上記第一基地局が上記ハンドオーバ要求メッセージを受信すると、ハンドオーバ指令を上記端末に送信し、上記第二ホーム基地局に対応するセルにハンドオーバするように上記端末を制御する工程と、
を含むことを特徴とするハンドオーバ方法。
【請求項９】
第一基地局において、
自第一基地局の、第二ホーム基地局に対応する第二セルである新規隣接セルを発見するための発見手段と、
上記第二セルのアクセスモードを判断するための第一判断手段と、
上記第二セルのアクセスモードがオープンモード又はハイブリッドモードであるとき、上記自第一基地局と上記第二ホーム基地局との間のＸ２インタフェースを確立するための確立手段と、
上記第二セルのアクセスモードがクローズドモードであるとき、上記第一基地局と第二ホーム基地局に共通のクローズドサブスクライバグループ識別子が配置されているか否かを判断するための第二判断手段と、
上記第二セルに接近している特定端末があるか否かを検出するための検出手段と、
を含み、
上記確立手段は、上記第一基地局と第二ホーム基地局に共通のクローズドサブスクライバグループ識別子がないとき、上記第二セルに接近している特定端末を上記検出手段でいったん検出すると、上記第一基地局と上記第二ホーム基地局との間のＸ２インタフェースを確立し、
上記特定端末とは、第一基地局に対応する第一セルに滞留し且つ上記第一セルと上記第二セルをアクセス可能な端末であり、
上記の上記第二セルに接近しているとは、上記特定端末には一定時間内に上記第二セルに進入する可能性があること、又は、上記特定端末と上記第二セルのカバー境界との間の距離が所定距離より小さいことであることを特徴とする第一基地局。
【請求項１０】
上記確立手段は、上記第一基地局と第二ホーム基地局に共通のクローズドサブスクライバグループ識別子が配置されているとき、上記第一基地局と上記第二ホーム基地局との間のＸ２インタフェースを確立することを特徴とする請求項９に記載の第一基地局。
【請求項１１】
上記確立手段は、
上記第一基地局がマクロ基地局であるとき、上記第二ホーム基地局がホーム基地局ゲートウェイを介して移動性管理実体に接続するか否かを判断し、肯定の場合、上記第一基地局と上記第二ホーム基地局との間にゲートウェイエージェントのＸ２インタフェースを確立し、否定の場合、上記第一基地局と上記第二ホーム基地局との間に直接的なＸ２インタフェースを確立するための第一処理手段と、
上記第一基地局がホーム基地局であるとき、上記第一基地局と第二ホーム基地局が同一の移動性管理実体又は同一のホーム基地局ゲートウェイに接続するか否かを判断し、肯定の場合、上記第一基地局と上記第二ホーム基地局との間に直接的なＸ２インタフェースを確立し、否定の場合、上記第一基地局と上記第二ホーム基地局との間にゲートウェイエージェントのＸ２インタフェースを確立するための第二処理手段と、
を含むことを特徴とする請求項９又は１０に記載の第一基地局。
【請求項１２】
自第一基地局と第二ホーム基地局との間に第一Ｘ２インタフェースが確立されており、
第一基地局は、
所定のＸ２インタフェース除去条件を満足するか否かを判断するための第３判断手段と、
上記第３判断手段によって上記Ｘ２インタフェース除去条件を満足したと判断されたとき、上記第一基地局と上記第二ホーム基地局との間の第一Ｘ２インタフェースを除去するための除去手段とをさらに含み、
上記第一Ｘ２インタフェースの除去条件には、
上記第二ホーム基地局に対応する第二セルが既に上記第一基地局の隣接セルから削除されていること、
第一基地局に対応する第一セルに滞留し且つ上記第一セルと上記第二セルをアクセス可能な端末である特定端末がすべて上記第二セルから離れていることを検出したこと、
上記第一基地局と第二ホーム基地局との間のＸ２インタフェースを介したハンドオーバの頻度が所定の第二閾値より低いか否かのこと
の少なくとも一つを含むことを特徴とする請求項９又は１０に記載の第一基地局。
【請求項１３】
上記除去手段は、
上記第一Ｘ２インタフェースが直接的なＸ２インタフェースであるとき、上記第一基地局と第二ホーム基地局において上記第一Ｘ２インタフェースのコンテクストをそれぞれ削除するための第一処理手段と、
上記第一Ｘ２インタフェースがゲートウェイエージェントのＸ２インタフェースであるとき、上記第二ホーム基地局とホーム基地局ゲートウェイとの間における上記第一Ｘ２インタフェースのフラグメント部分である第一フラグメントのコンテクストを削除し、更に、上記第一基地局とホーム基地局ゲートウェイとの間における上記第一Ｘ２インタフェースのフラグメント部分である第二フラグメントのうち、上記第一Ｘ２インタフェースに関するコンテクストを削除するための第二処理手段と、
を含むことを特徴とする請求項１２に記載の第一基地局。
【請求項１４】
上記第一基地局と上記第二ホーム基地局にＸ２インタフェースが確立されていないとき、第一基地局と第二ホーム基地局との間のＳ１インタフェースを介したハンドオーバの頻度が所定の第一閾値を越えたか否かを判断するための第四判断手段をさらに含み、
上記確立手段は、上記Ｓ１インタフェースを介したハンドオーバの頻度が所定の第一閾値を越えたとき、上記第一基地局と上記第二ホーム基地局との間の第一Ｘ２インタフェースを確立することを特徴とする請求項１２に記載の第一基地局。
【請求項１５】
請求項９又は１０に記載の第一基地局、上記第二ホーム基地局及びコア網ノードを含み、上記第一基地局と上記第二ホーム基地局との間に第一Ｘ２インタフェースが確立されており、端末のハンドオーバを実現するシステムにおいて、
送信元基地局である第一基地局が、端末に対するハンドオーバ要求メッセージを、上記第一Ｘ２インタフェースを介して宛先基地局である第二ホーム基地局に送信し、
上記第二ホーム基地局が上記ハンドオーバ要求メッセージを受信すると、コア網ノードにアクセス制御要求メッセージを送信し、
上記コア網ノードが上記端末の契約情報に基づいて、アクセス制御応答メッセージを上記第二ホーム基地局に返送し、
上記第二ホーム基地局が上記アクセス制御応答メッセージに基づいて、上記端末のハンドオーバを許可するか否かのハンドオーバ要求応答メッセージを、上記第一Ｘ２インタフェースを介して上記第一基地局に返送し、
上記ハンドオーバ要求応答メッセージによって上記端末のハンドオーバを許可することが示されるとき、上記第一基地局が上記端末にハンドオーバ指令を送信し、上記第二ホーム基地局に対応するセルにハンドオーバするように上記端末を制御することを特徴とするシステム。
【請求項１６】
請求項９又は１０に記載の第一基地局、上記第二ホーム基地局及びコア網ノードを含み、上記第一基地局と上記第二ホーム基地局との間に第一Ｘ２インタフェースが確立されており、端末のハンドオーバを実現するシステムにおいて、
送信元基地局である第一基地局が、上記第一基地局に対応する第一セルから上記第二ホーム基地局に対応する第二セルへの端末のハンドオーバを要求するための、上記端末に対するアクセス制御要求メッセージをコア網ノードに送信し、
上記コア網ノードが上記端末の契約情報に基づいて、アクセス制御応答メッセージを上記第一基地局に返送し、
上記アクセス制御応答メッセージによって上記端末のハンドオーバを許可することが示されるとき、上記第一基地局が、端末に対するハンドオーバ要求メッセージを、上記第一Ｘ２インタフェースを介して上記第二ホーム基地局に送信し、
上記第二ホーム基地局が上記ハンドオーバ要求メッセージを受信すると、上記端末のハンドオーバを許可するハンドオーバ要求応答メッセージを上記第一Ｘ２インタフェースを介して上記第一基地局に返送し、
上記第一基地局が上記ハンドオーバ要求メッセージを受信すると、ハンドオーバ指令を上記端末に送信し、上記第二ホーム基地局に対応するセルにハンドオーバするように上記端末を制御することを特徴とするシステム。
【発明の詳細な説明】
【技術分野】
【０００１】
本発明は、移動通信技術分野の長期進化ＬＴＥ（Ｌｏｎｇ  Ｔｅｒｍ  Ｅｖｏｌｕｔｉｏｎ）システム及びその更に進化したシステムＬＴＥ-Ａｄｖａｎｃｅｄに関し、特に、ＬＴＥとＬＴＥ-Ａｄｖａｎｃｅｄシステムにおいて基地局の間でＸ２インタフェースを管理する方法、ハンドオーバ方法、干渉抑制方法、基地局及び端末のハンドオーバを実現するシステムに関する。
【背景技術】
【０００２】
３ＧＰＰの長期進化システムは、非常に見込みのある移動通信システムであり、伝統的なユニバーサル移動体通信システムＵＭＴＳ（Ｕｎｉｖｅｒｓａｌ  Ｍｏｂｉｌｅ  Ｔｅｌeｃｏｍｍｕｎｉｃａｔｉｏｎｓ  Ｓｙｓｔｅｍ）ネットワークに基づくものであり、より高い無線アクセス速度とよりよいサービスサポートの提供が可能である。図１は、ＬＴＥネットワーク構成図である。ＬＴＥネットワークには、移動性管理実体ＭＭＥ（Ｍｏｂｉｌｉｔｙ  Ｍａｎａｇｅｍｅｎｔ  Ｅｎｔｉｔｙ）と進化した無線アクセス網ノードｅＮＢ（ｅＮｏｄｅ  Ｂ、基地局と略称する）を含み、基地局には、マクロ基地局（Ｍａｃｒｏ  ｅＮＢ）とホーム基地局（Ｈｏｍｅ  ｅＮｏｄｅ  Ｂ）とを含む。図１では、マクロ基地局はＳ１インタフェースを介してＭＭＥに接続する。ホーム基地局は、直接的にＭＭＥに接続してもよいし、ホーム基地局ゲートウェイＨｅＮＢ  ＧＷ（ＨｅＮＢ  Ｇａｔｅｗａｙ）を介してＭＭＥに接続してもよい。
【０００３】
ホーム基地局は、通常オープンモード（Ｏｐｅｎ  Ｍｏｄｅ）、クローズドモード（Ｃｌｏｓｅｄ  Ｍｏｄｅ）、ハイブリッドモード（Ｈｙｂｒｉｄ  Ｍｏｄｅ）の三種類のアクセスモード（Ａｃｃｅｓｓ  Ｍｏｄｅ）を有する。クローズドサブスクライバグループＣＳＧ（Ｃｌｏｓｅｄ  Ｓｕｂｓｃｒｉｂｅｒ  Ｇｒｏｕｐ）は、クローズドモードに用いられる。ＣＳＧの許可制御を採用することにより、特定のユーザ設備ＵＥ（Ｕｓｅｒ  Ｅｑｕｉｐｍｅｎｔ）しか対応するＨｅＮＢにアクセスできないことになる。オープンモードでは、すべてのユーザが該ホーム基地局にアクセス可能であり、ネットワークでは、アクセスしたユーザが自ホーム基地局によってサポートされるＣＳＧユーザか否か区別されない。クローズドモードでは、ユーザが自ホーム基地局によってサポートされるＣＳＧユーザである場合のみ該ホーム基地局にアクセス可能となる。ハイブリッドモードでは、すべてのユーザが該ホーム基地局にアクセス可能であるが、ネットワークでは、該ホーム基地局にアクセスしたユーザが自ホーム基地局によってサポートされるＣＳＧユーザか否か区別され、もって、たとえば無線資源受け入れ制御又はサービス品質（ＱｏＳ）制御といった必要な優先レベル制御が行なわれる。
【０００４】
図２を参照すると、移動性管理実体／サービスゲートウェイＭＭＥ／Ｓ-ＧＷ（Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ）と基地局との間にＳ１インタフェース（Ｔｈｅ  Ｉｎｔｅｒｆａｃｅ  Ｂeｔｗｅｅｎ  ｅＮＢ  ａｎｄ  ＭＭＥ、ｅＮＢとＭＭＥとの間のインタフェース）が確立されており、ｅＮＢの間にＸ２インタフェース（Ｔｈｅ  Ｉｎｔｅｒｆａｃｅ  Ｂeｔｗｅｅｎ  ｅＮＢｓ、ｅＮＢの間のインタフェース）が確立されている。本文で言う「Ｓ１インタフェースが確立されている」、又は、「Ｘ２インタフェースが確立されている」とは、「Ｓ１インタフェースの接続を確立している」、又は、「Ｘ２インタフェースの接続を確立している」ことを指す。
【０００５】
現在、従来技術では、ＨｅＮＢ  Ｘ２インタフェースを動的に管理する具体的な技術案が示されていない。
【発明の概要】
【発明が解決しようとする課題】
【０００６】
本発明の実施例により解決しようとする技術問題は、Ｘ２インタフェース管理方法、ハンドオーバ方法、干渉抑制方法、基地局及び端末のハンドオーバを実現するシステムを提供し、ホーム基地局のＸ２インタフェースに対する動的に管理を実現することである。
【課題を解決するための手段】
【０００７】
上記のＸ２インタフェースに基づき、本発明の実施例では、ハンドオーバ方法及び端末のハンドオーバを実現するシステムを更に提供しており、Ｘ２インタフェースを利用して端末のハンドオーバに対する制御を実現する。
【０００８】
上記技術問題を解決するために、本発明の実施例により提供される技術案は、下記のとおりである。
【０００９】
Ｘ２インタフェース管理方法において、第一基地局が、第二ホーム基地局に対応する第二セルである新規隣接セルを発見する工程と、上記第一基地局が上記第二セルのアクセスモードを判断する工程と、上記第二セルのアクセスモードがオープンモード又はハイブリッドモードであるとき、上記第一基地局と上記第二ホーム基地局との間の第一Ｘ２インタフェースを確立する工程と、を含む。
【００１０】
好ましくは、上記のＸ２インタフェース管理方法において、上記第二セルのアクセスモードがクローズドモードであるとき、上記第一基地局と第二ホーム基地局に共通のクローズドサブスクライバグループ識別子が配置されているか否かを判断する工程と、上記第一基地局と第二ホーム基地局に共通のクローズドサブスクライバグループ識別子が配置されているとき、上記第一基地局と上記第二ホーム基地局との間の第一Ｘ２インタフェースを確立する工程と、をさらに含む。
【００１１】
好ましくは、上記のＸ２インタフェース管理方法において、上記第一基地局と第二ホーム基地局に共通のクローズドサブスクライバグループ識別子がないとき、いったん上記第二セルに接近している特定端末を検出すると、上記第一基地局と上記第二ホーム基地局との間の第一Ｘ２インタフェースを確立する工程をさらに含み、上記特定端末とは、第一基地局に対応する第一セルに滞留し且つ上記第一セルと上記第二セルをアクセス可能な端末であり、上記の上記第二セルに接近しているとは、上記特定端末には一定時間内に上記第二セルに進入する可能性があること、又は、上記特定端末と上記第二セルのカバー境界との間の距離が所定距離より小さいことである。
【００１２】
好ましくは、上記のＸ２インタフェース管理方法において、上記第一基地局と第二ホーム基地局に共通のクローズドサブスクライバグループ識別子がないとき、上記第一基地局に対応する第一セルと上記第二セルとの間の干渉が所定の第一時間内に予め定められた閾値を越えることを検出すると、セル間の干渉抑制情報を伝送するための第一Ｘ２インタフェースを上記第一基地局と上記第二ホーム基地局との間に確立する工程をさらに含む。
【００１３】
好ましくは、上記のＸ２インタフェース管理方法において、上記第一基地局と上記第二ホーム基地局との間の第一Ｘ２インタフェースを確立する工程は、上記第一基地局がマクロ基地局であるとき、上記第二ホーム基地局がホーム基地局ゲートウェイを介して移動性管理実体に接続するか否かを判断し、肯定の場合、上記第一基地局と上記第二ホーム基地局との間にゲートウェイエージェントのＸ２インタフェースを確立し、否定の場合、上記第一基地局と上記第二ホーム基地局との間に直接的なＸ２インタフェースを確立する工程と、上記第一基地局がホーム基地局であるとき、上記第一基地局と第二ホーム基地局が同一の移動性管理実体又は同一のホーム基地局ゲートウェイに接続するか否かを判断し、肯定の場合、上記第一基地局と上記第二ホーム基地局との間に直接的なＸ２インタフェースを確立し、否定の場合、上記第一基地局と上記第二ホーム基地局との間にゲートウェイエージェントのＸ２インタフェースを確立する工程と、を含む。
【００１４】
好ましくは、上記のＸ２インタフェース管理方法において、上記第一基地局が、所定の第一Ｘ２インタフェースの除去条件を満足するか否かを判断する工程と、上記第一Ｘ２インタフェースの除去条件を満足したとき、上記第一基地局と上記第二ホーム基地局との間の第一Ｘ２インタフェースを除去する工程とをさらに含み、上記第一Ｘ２インタフェースの除去条件には、上記第二ホーム基地局に対応する第二セルが既に上記第一基地局の隣接セルから削除されていること、第一基地局に対応する第一セルに滞留し且つ上記第一セルと上記第二セルをアクセス可能な端末である特定端末がすべて上記第二セルから離れていることを検出したこと、上記第一基地局と第二ホーム基地局との間のＸ２インタフェースを介したハンドオーバの頻度が所定の第二閾値より低いか否かのこと、上記第一セルと第二セルとの間の干渉が所定の第二時間内に上記所定の閾値を超えないことの少なくとも一つを含む。
【００１５】
好ましくは、上記のＸ２インタフェース管理方法において、上記第一Ｘ２インタフェースが直接的なＸ２インタフェースであるとき、上記の上記第一基地局と上記第二ホーム基地局との間の第一Ｘ２インタフェースを除去する工程は、上記第一基地局と第二ホーム基地局において、上記第一Ｘ２インタフェースのコンテクストをそれぞれ削除する工程を含み、上記第一Ｘ２インタフェースがゲートウェイエージェントのＸ２インタフェースであるとき、上記の上記第一基地局と上記第二ホーム基地局との間の第一Ｘ２インタフェースを除去する工程は、上記第二ホーム基地局とホーム基地局ゲートウェイとの間における上記第一Ｘ２インタフェースのフラグメント部分である第一フラグメントのコンテクストを削除し、更に、上記第一基地局とホーム基地局ゲートウェイとの間における上記第一Ｘ２インタフェースのフラグメント部分である第二フラグメントのうち、上記第一Ｘ２インタフェースに関するコンテクストを削除する工程を含む。
【００１６】
好ましくは、上記のＸ２インタフェース管理方法において、上記第一基地局と上記第二ホーム基地局にＸ２インタフェースが確立されていないとき、第一基地局と第二ホーム基地局との間のＳ１インタフェースを介したハンドオーバの頻度が所定の第一閾値を越えたか否かを判断する工程と、上記Ｓ１インタフェースを介したハンドオーバの頻度が所定の第一閾値を越えたとき、上記第一基地局と上記第二ホーム基地局との間に第一Ｘ２インタフェースを確立する工程と、をさらに含む。
【００１７】
本発明の実施例では、ハンドオーバ方法を更に提供しており、上記Ｘ２インタフェース管理方法で確立されている上記第一Ｘ２インタフェースに応用する。該方法において、送信元基地局である第一基地局が、端末に対するハンドオーバ要求メッセージを、上記第一Ｘ２インタフェースを介して宛先基地局である第二ホーム基地局に送信する工程と、上記第二ホーム基地局が上記ハンドオーバ要求メッセージを受信すると、コア網ノードにアクセス制御要求メッセージを送信する工程と、上記コア網ノードが上記端末の契約情報に基づいて、アクセス制御応答メッセージを上記第二ホーム基地局に返送する工程と、上記第二ホーム基地局が上記アクセス制御応答メッセージに基づいて、上記端末のハンドオーバを許可するか否かのハンドオーバ要求応答メッセージを、上記第一Ｘ２インタフェースを介して上記第一基地局に返送する工程と、上記ハンドオーバ要求応答メッセージによって上記端末のハンドオーバを許可することが示されるとき、上記第一基地局が上記端末にハンドオーバ指令を送信し、上記第二ホーム基地局に対応する第二セルにハンドオーバするように上記端末を制御する工程と、を含む。
【００１８】
本発明の実施例では、別のハンドオーバ方法を更に提供しており、上記Ｘ２インタフェース管理方法で確立されている上記第一Ｘ２インタフェースに応用する。該方法において、送信元基地局である第一基地局が、上記第一基地局に対応する第一セルから上記第二ホーム基地局に対応する第二セルへの端末のハンドオーバを要求するための、上記端末に対するアクセス制御要求メッセージをコア網ノードに送信する工程と、上記コア網ノードが上記端末の契約情報に基づいて、アクセス制御応答メッセージを上記第一基地局に返送する工程と、上記アクセス制御応答メッセージによって上記端末のハンドオーバを許可することが示されるとき、上記第一基地局が、端末に対するハンドオーバ要求メッセージを、上記第一Ｘ２インタフェースを介して上記第二ホーム基地局に送信する工程と、上記第二ホーム基地局が上記ハンドオーバ要求メッセージを受信すると、上記端末のハンドオーバを許可するハンドオーバ要求応答メッセージを上記第一Ｘ２インタフェースを介して上記第一基地局に返送する工程と、上記第一基地局が上記ハンドオーバ要求メッセージを受信すると、ハンドオーバ指令を上記端末に送信し、上記第二ホーム基地局に対応するセルにハンドオーバするように上記端末を制御する工程と、を含む。
【００１９】
本発明の実施例では、干渉抑制方法を更に提供しており、該方法において、第一基地局が、第二ホーム基地局に対応する第二セルである新規隣接セルを発見する工程と、上記第一基地局が上記第二セルのアクセスモードを判断する工程と、上記第二セルのアクセスモードがクローズドモードであるとき、上記第一基地局と第二ホーム基地局に共通のクローズドサブスクライバグループ識別子が配置されているか否かを判断する工程と、上記第一基地局と第二ホーム基地局に共通のクローズドサブスクライバグループ識別子がないとき、上記第一基地局に対応する第一セルと上記第二セルとの間の干渉が所定の第一時間内に予め定められた閾値を超えることを検出すると、上記第一基地局と上記第二ホーム基地局との間の第一Ｘ２インタフェースを確立する工程と、上記第一Ｘ２インタフェースを介してセル間の干渉抑制情報を伝送し、上記干渉抑制情報に基づいて干渉抑制を行なう工程と、を含む。
【００２０】
好ましくは、上記の干渉抑制方法において、上記干渉抑制情報は、異なるキャリアのキャリア周波数ポイント、オーバロード指示ＯＩ及び深刻干渉指示ＨＩＩ情報を含む。
【００２１】
好ましくは、上記の干渉抑制方法において、上記第一Ｘ２インタフェースの使用可能帯域幅を検査する工程と、上記使用可能帯域幅に基づいて、上記干渉抑制情報のインタワーク頻度を動的に調整する工程と、をさらに含む。
【００２２】
本発明の実施例では、第一基地局を更に提供しており、該第一基地局において、自第一基地局の、第二ホーム基地局に対応する第二セルである新規隣接セルを発見するための発見手段と、上記第二セルのアクセスモードを判断するための第一判断手段と、上記第二セルのアクセスモードがオープンモード又はハイブリッドモードであるとき、上記自第一基地局と上記第二ホーム基地局との間のＸ２インタフェースを確立するための確立手段と、を含む。
【００２３】
好ましくは、上記第一基地局において、上記第二セルのアクセスモードがクローズドモードであるとき、上記第一基地局と第二ホーム基地局に共通のクローズドサブスクライバグループ識別子が配置されているか否かを判断するための第二判断手段をさらに含み、上記確立手段は、上記第一基地局と第二ホーム基地局に共通のクローズドサブスクライバグループ識別子が配置されているとき、上記第一基地局と上記第二ホーム基地局との間のＸ２インタフェースを確立する。
【００２４】
好ましくは、上記第一基地局において、上記第二セルに接近している特定端末があるか否かを検出するための第一検出手段をさらに含み、上記特定端末とは、第一基地局に対応する第一セルに滞留し且つ上記第一セルと上記第二セルをアクセス可能な端末であり、上記の上記第二セルに接近しているとは、上記特定端末には一定時間内に上記第二セルに進入する可能性があること、又は、上記特定端末と上記第二セルのカバー境界との間の距離が所定距離より小さいことであり、上記確立手段は、上記第一基地局と第二ホーム基地局に共通のクローズドサブスクライバグループ識別子がないとき、上記第二セルに接近している特定端末を上記第一検出手段でいったん検出すると、上記第一基地局と上記第二ホーム基地局との間のＸ２インタフェースを確立する。
【００２５】
好ましくは、上記第一基地局において、上記第一基地局に対応する第一セルと上記第二セルとの間の干渉を検出し、上記干渉が所定の第一時間内に予め定められた閾値を越えるか否かを判断するための第二検出手段をさらに含み、上記確立手段は、上記第一基地局と第二ホーム基地局に共通のクローズドサブスクライバグループ識別子がないとき、上記干渉が所定の第一時間内に予め定められた閾値を越えることを上記第二検出手段でいったん検出すると、上記第一基地局と上記第二ホーム基地局との間のＸ２インタフェースを確立する。
【００２６】
好ましくは、上記第一基地局において、上記確立手段は、上記第一基地局がマクロ基地局であるとき、上記第二ホーム基地局がホーム基地局ゲートウェイを介して移動性管理実体に接続するか否かを判断し、肯定の場合、上記第一基地局と上記第二ホーム基地局との間にゲートウェイエージェントのＸ２インタフェースを確立し、否定の場合、上記第一基地局と上記第二ホーム基地局との間に直接的なＸ２インタフェースを確立するための第一処理手段と、上記第一基地局がホーム基地局であるとき、上記第一基地局と第二ホーム基地局が同一の移動性管理実体又は同一のホーム基地局ゲートウェイに接続するか否かを判断し、肯定の場合、上記第一基地局と上記第二ホーム基地局との間に直接的なＸ２インタフェースを確立し、否定の場合、上記第一基地局と上記第二ホーム基地局との間にゲートウェイエージェントのＸ２インタフェースを確立するための第二処理手段と、を含む。
【００２７】
好ましくは、上記第一基地局において、自第一基地局と第二ホーム基地局との間に第一Ｘ２インタフェースが確立されており、第一基地局は、所定のＸ２インタフェース除去条件を満足するか否かを判断するための第３判断手段と、上記第３判断手段によって上記Ｘ２インタフェース除去条件を満足したと判断されたとき、上記第一基地局と上記第二ホーム基地局との間の第一Ｘ２インタフェースを除去するための除去手段とをさらに含み、上記第一Ｘ２インタフェースの除去条件には、上記第二ホーム基地局に対応する第二セルが既に上記第一基地局の隣接セルから削除されていること、第一基地局に対応する第一セルに滞留し且つ上記第一セルと上記第二セルをアクセス可能な端末である特定端末がすべて上記第二セルから離れていることを検出したこと、上記第一基地局と第二ホーム基地局との間のＸ２インタフェースを介したハンドオーバの頻度が所定の第二閾値より低いか否かのこと、上記第一セルと第二セルとの間の干渉が所定の第二時間内に上記所定の閾値を超えないことの少なくとも一つを含む。
【００２８】
好ましくは、上記第一基地局において、上記除去手段は、上記第一Ｘ２インタフェースが直接的なＸ２インタフェースであるとき、上記第一基地局と第二ホーム基地局において上記第一Ｘ２インタフェースのコンテクストをそれぞれ削除するための第一処理手段と、上記第一Ｘ２インタフェースがゲートウェイエージェントのＸ２インタフェースであるとき、上記第二ホーム基地局とホーム基地局ゲートウェイとの間における上記第一Ｘ２インタフェースのフラグメント部分である第一フラグメントのコンテクストを削除し、更に、上記第一基地局とホーム基地局ゲートウェイとの間における上記第一Ｘ２インタフェースのフラグメント部分である第二フラグメントのうち、上記第一Ｘ２インタフェースに関するコンテクストを削除するための第二処理手段と、を含む。
【００２９】
好ましくは、上記第一基地局において、上記第一基地局と上記第二ホーム基地局にＸ２インタフェースが確立されていないとき、第一基地局と第二ホーム基地局との間のＳ１インタフェースを介したハンドオーバの頻度が所定の第一閾値を越えたか否かを判断するための第四判断手段をさらに含み、上記確立手段は、上記Ｓ１インタフェースを介したハンドオーバの頻度が所定の第一閾値を越えたとき、上記第一基地局と上記第二ホーム基地局との間の第一Ｘ２インタフェースを確立する。
【００３０】
本発明の実施例では、端末のハンドオーバを実現するシステムを更に提供しており、該システムは、上記第一基地局、上記第二ホーム基地局及びコア網ノードを含み、上記第一基地局と上記第二ホーム基地局との間に上記第一Ｘ２インタフェースが確立されており、端末のハンドオーバを実現するシステムにおいて、送信元基地局である第一基地局が、端末に対するハンドオーバ要求メッセージを、上記第一Ｘ２インタフェースを介して宛先基地局である第二ホーム基地局に送信し、上記第二ホーム基地局が上記ハンドオーバ要求メッセージを受信すると、コア網ノードにアクセス制御要求メッセージを送信し、上記コア網ノードが上記端末の契約情報に基づいて、アクセス制御応答メッセージを上記第二ホーム基地局に返送し、上記第二ホーム基地局が上記アクセス制御応答メッセージに基づいて、上記端末のハンドオーバを許可するか否かのハンドオーバ要求応答メッセージを、上記第一Ｘ２インタフェースを介して上記第一基地局に返送し、上記ハンドオーバ要求応答メッセージによって上記端末のハンドオーバを許可することが示されるとき、上記第一基地局が上記端末にハンドオーバ指令を送信し、上記第二ホーム基地局に対応するセルにハンドオーバするように上記端末を制御する。
【００３１】
本発明の実施例では、端末のハンドオーバを実現する別のシステムを更に提供しており、該システムは、上記第一基地局、上記第二ホーム基地局及びコア網ノードを含み、上記第一基地局と上記第二ホーム基地局との間に上記第一Ｘ２インタフェースが確立されており、端末のハンドオーバを実現するシステムにおいて、送信元基地局である第一基地局が、上記第一基地局に対応する第一セルから上記第二ホーム基地局に対応する第二セルへの端末のハンドオーバを要求するための、上記端末に対するアクセス制御要求メッセージをコア網ノードに送信し、上記コア網ノードが上記端末の契約情報に基づいて、アクセス制御応答メッセージを上記第一基地局に返送し、上記アクセス制御応答メッセージによって上記端末のハンドオーバを許可することが示されるとき、上記第一基地局が、端末に対するハンドオーバ要求メッセージを、上記第一Ｘ２インタフェースを介して上記第二ホーム基地局に送信し、上記第二ホーム基地局が上記ハンドオーバ要求メッセージを受信すると、上記端末のハンドオーバを許可するハンドオーバ要求応答メッセージを上記第一Ｘ２インタフェースを介して上記第一基地局に返送し、上記第一基地局が上記ハンドオーバ要求メッセージを受信すると、ハンドオーバ指令を上記端末に送信し、上記第二ホーム基地局に対応するセルにハンドオーバするように上記端末を制御する。
【００３２】
本発明の実施例では、干渉抑制を実現するシステムを更に提供しており、該システムは、上記第一基地局、上記第二ホーム基地局及びコア網ノードを含み、上記第一基地局と上記第二ホーム基地局との間に上記第一Ｘ２インタフェースが確立されており、干渉抑制を実現するシステムにおいて、上記第一基地局と上記第二ホーム基地局とは、上記第一Ｘ２インタフェースを介してセル間の干渉抑制情報を伝送し、上記干渉抑制情報に基づいて干渉抑制を行なう。
【発明の効果】
【００３３】
上記記載からわかるように、本発明の実施例によるＸ２インタフェース管理方法、ハンドオーバ方法、干渉抑制方法、基地局及びシステムによって、Ｘ２インタフェースを動的に管理でき、直接的なＸ２インタフェースを確立するか、それともゲートウェイエージェントのＸ２インタフェースを確立するかのようなＸ２インタフェースの具体的な確立方式も選択可能である。本発明の実施例によれば、ＬＴＥとＬＴＥ-ＡｄｖａｎｃｅｄシステムにおいてＸ２インタフェースによる拡張性問題とシステムオーバーヘッドを効果的に減少でき、もってハンドオーバと干渉抑制をよりよくサポートできる。本発明の実施例で確立されているＸ２インタフェースに基づき、本発明の実施例は、更に端末のハンドオーバに対する制御処理を実現できるととも、Ｘ２インタフェースの帯域幅に基づいて干渉抑制メッセージの送信頻度を調節可能となる。
【図面の簡単な説明】
【００３４】
【図１】従来のＬＴＥネットワーク構成図である。
【図２】Ｓ１インタフェース、直接的なＸ２インタフェース、ゲートウェイエージェントのＸ２インタフェースを示す。
【図３】本発明の実施例によるＸ２インタフェース管理方法のフローチャートである。
【図４】本発明の実施例でホーム基地局間にＸ２インタフェースを確立することを示す図面である。
【図５】本発明の実施例でマクロ基地局とホーム基地局との間にＸ２インタフェースを確立することを示す図面である。
【図６】本発明の実施例によるハンドオーバフローチャートである。
【図７】本発明の実施例による別のハンドオーバフローチャートである。
【図８】本発明の実施例によるＸ２インタフェース管理装置の構成図である。
【発明を実施するための形態】
【００３５】
図２を参照し、本発明の実施例において具体的に二種類の方式でＸ２インタフェースを提供可能であり、すなわち直接的なＸ２インタフェースとゲートウェイエージェントのＸ２インタフェースである。該二種類のＸ２インタフェースは、ともにマクロ基地局とホーム基地局との間に存在可能であり、ホーム基地局間にも存在可能である。
【００３６】
直接的なＸ２インタフェース（Ｄｉｒｅｃｔ  Ｘ２）は、送信元基地局が宛先ホーム基地局の伝送ネットワーク層アドレスであるＩＰアドレスを知った上、各宛先ホーム基地局とストリーム制御伝送プロトコルＳＣＴＰ（Ｓｔｒｅｉｍ  Ｃｏｎｔｒｏｌ  Ｔｒａｎｓｍｉｓｓｉｏｎ  Ｐｒｏｔｏｃｏｌ）接続を確立する。Ｘ２インタフェースが確立されると、送信元基地局から宛先ホーム基地局へのメッセージに伴う宛先アドレスは、宛先ホーム基地局の伝送ネットワーク層アドレスである。宛先ホーム基地局へ送信されるＸ２メッセージがＨｅＮＢ  ＧＷを経由すると、該ＨｅＮＢ  ＧＷが該Ｘ２メッセージにとって透明であり、すなわち、該Ｘ２メッセージの透明転送しか行なわれない。該種類方式の利点として、ＨｅＮＢ  ＧＷがＸ２メッセージを透明転送するため、ＨｅＮＢ  ＧＷで関連転送情報の保守を必要とされないが、短所として、基地局間の余分なＸ２接続を確立する可能性がある。上記の送信元基地局は、送信元マクロ基地局と送信元ホーム基地局を含む。
【００３７】
ゲートウェイエージェントのＸ２インタフェース（Ｐｒｏｘｉｅｄ  Ｘ２）とは、送信元基地局から宛先ホーム基地局へのＸ２インタフェースにはＨｅＮＢ  ＧＷによる代理が必要であることを指す。すなわち、送信元基地局が宛先ホーム基地局の伝送ネットワーク層アドレスを知る必要がなく、送信元基地局からＨｅＮＢ  ＧＷへ一つのＳＣＴＰしか確立されず、ＨｅＮＢ  ＧＷが代理として、宛先ＨｅＮＢへのＳＣＴＰ接続を確立して、もってＸ２インタフェースをベアラーする。この場合、Ｘ２メッセージがＨｅＮＢ  ＧＷで転送される際に、代理が必要となり、すなわち送信元又は宛先アドレスの修正が必要となる。該種類方式の利点として、Ｘ２インタフェースを減らすことができるが、短所として、ＨｅＮＢ  ＧＷが多くの転送エントリ情報を保守し、メッセージの送信元アドレスと宛先アドレスを修正するなど複雑な代理処理を行なう必要がある。
【００３８】
本発明の実施例は、基地局間のＸ２インタフェースを動的に確立又は除去するためのＸ２インタフェース管理方法を提供し、更にハンドオーバ方法、基地局及び端末ハンドオーバを実現するシステムを提供し、ＬＴＥとＬＴＥ-ＡｄｖａｎｃｅｄシステムにおいてＸ２インタフェースによる拡張性問題とシステムオーバーヘッドを効果的に減少でき、もって端末のハンドオーバをよりよくサポートできる。
【００３９】
本発明の実施例によるＸ２インタフェース管理方法において、第一基地局が、第二ホーム基地局に対応する第二セルである新規隣接セルを発見するステップと、上記第一基地局が上記第二セルのアクセスモードを判断するステップと、上記第二セルのアクセスモードがオープンモード又はハイブリッドモードであるとき、上記第一基地局と上記第二ホーム基地局との間の第一Ｘ２インタフェースを確立するステップとを含む。
【００４０】
以下、図３を参照しながら、上記方法について更に説明する。
【００４１】
図３を参照し、本発明の実施例によるＸ２インタフェース管理方法でＸ２インタフェースを確立するときに次のステップ３１〜３５を含む。
【００４２】
ステップ３１において、第一基地局が、新規隣接セルを発見する。上記の新規隣接セルは、第二ホーム基地局に対応する第二セルである。
【００４３】
ここでは、第一基地局は、第一マクロ基地局又は第一ホーム基地局である。第一基地局には、複数のセルが配置されてもよい。上記新規隣接セルは、該第一基地局のいずれか一つのセルの隣接セルである。第一基地局が新規隣接セルを発見することは、第一基地局がその隣接セルリストに新規の隣接セルが追加されたことを検出したことを指す。新規の隣接セルの具体的な追加フローとして、第一基地局が自身の下り方向信号受信機を通して第二ホーム基地局の信号を受信し、又は第一基地局が端末から報告された測定報告から第二ホーム基地局の信号パラメータを取得し、第二ホーム基地局の信号品質が所定の要求を満足した場合、第一基地局が自身の隣接セルリストへ、第二ホーム基地局に対応する第二セルを追加する。
【００４４】
ステップ３２において、上記第一基地局が上記第二セルのアクセスモードを判断する。上記第二セルのアクセスモードがクローズドモード（Ｃｌｏｓｅｄ  Ｍｏｄｅ）であるとき、ステップ３３に進む。上記第二セルのアクセスモードがオープンモード（Ｏｐｅｎ  Ｍｏｄｅ）又はハイブリッドモード（Ｈｙｂｒｉｄ  Ｍｏｄｅ）であるとき、ステップ３５に進む。
【００４５】
ステップ３３において、上記第二セルのアクセスモードがクローズドモード（Ｃｌｏｓｅｄ  Ｍｏｄｅ）であるとき、上記第一基地局と第二ホーム基地局に共通のクローズドサブスクライバグループ識別子が配置されているか否かを判断する。肯定の場合、ステップ３５に進むが、否定の場合、ステップ３４に進む。
【００４６】
ここでは、第一基地局は、受信した上記第二ホーム基地局の信号又は端末から報告された測定報告から、第二ホーム基地局に配置されているクローズドサブスクライバグループ識別子を取得可能である。
【００４７】
ステップ３４において、上記第一基地局と第二ホーム基地局に共通のクローズドサブスクライバグループ識別子がないとき、第一基地局がいったん上記第二セルに接近している特定端末を検出すると、又は、上記第一基地局に対応する第一セルと上記第二セルとの間の干渉が所定の第一時間内に予め定められた閾値を越えることを検出すると、ステップ３５に進む。なお、上記特定端末とは、第一基地局に対応する第一セルに滞留し且つ上記第一セルと上記第二セルをアクセス可能な端末であり、上記の上記第二セルに接近しているとは、上記特定端末には一定時間内に上記第二セルに進入する可能性があること、又は、上記特定端末と上記第二セルのカバー境界との間の距離が所定距離より小さいことである。上記所定の第一時間は、予め定められた時間である。
【００４８】
ここで、上記第二セルに接近している特定端末を検出することは、複数の場合が含まれる。
【００４９】
たとえば、特定端末の現在移動状態、現在位置及びセルのカバー範囲に基づいて、該特定端末が一定時間内に上記第二セルに進入する可能性を判断し、可能性が所定値より大きいとき、該特定端末が上記第二セルに接近していると判断する。該特定端末の現在移動状態は、移動性状態検出（Ｍｏｂｉｌｉｔｙ  ｓｔａｔｅ  ｄｅｔｅｃｔｉｏｎ）によって取得可能であり、現在位置は、グローバル・ポジショニング・システム（ＧＰＳ）情報から取得できるし、ほかのセルの位置検出からも取得できる。
【００５０】
また、特定端末と上記第二セルのカバー境界との間の距離が所定距離より小さいときに、該特定端末が上記第二セルに接近していると判断する。
【００５１】
ここで、セル間干渉の検出方法として、端末から報告された測定報告を分析すること、又は、ホーム基地局に配置されている下り方向受信デバイスで検出することで実現できる。
【００５２】
ステップ３５において、上記第一基地局は、上記第二ホーム基地局との間の第一Ｘ２インタフェースを確立し、ここまで本フローが終了する。
【００５３】
上記ステップ３５において、第一Ｘ２インタフェースの確立方式として、具体的に下記の方式が考えられる。
【００５４】
上記第一基地局がマクロ基地局であるとき、上記第二ホーム基地局がホーム基地局ゲートウェイを介して移動性管理実体に接続するか否かを判断し、肯定の場合、上記第一基地局と上記第二ホーム基地局との間にゲートウェイエージェントのＸ２インタフェースを確立し、否定の場合、上記第一基地局と上記第二ホーム基地局との間に直接的なＸ２インタフェースを確立する。
【００５５】
上記第一基地局がホーム基地局であるとき、上記第一基地局と第二ホーム基地局が同一の移動性管理実体又は同一のホーム基地局ゲートウェイに接続するか否かを判断し、肯定の場合、上記第一基地局と上記第二ホーム基地局との間に直接的なＸ２インタフェースを確立し、否定の場合、上記第一基地局と上記第二ホーム基地局との間にゲートウェイエージェントのＸ２インタフェースを確立する。
【００５６】
上記ステップ３５では、Ｘ２確立方式選択ルールが提供されている。マクロ基地局とホーム基地局との間のＸ２インタフェースについて、ホーム基地局とＭＭＥとの間にホーム基地局ゲートウェイが存在する場合、ゲートウェイエージェントのＸ２インタフェースを使用するが、存在しない場合、直接的なＸ２インタフェースを使用する。ホーム基地局間のＸ２インタフェースについて、二つのホーム基地局が同一のＭＭＥ又は同一ホーム基地局ゲートウェイの配下にあると、直接的なＸ２インタフェースを使用するが、逆の場合、ゲートウェイエージェントのＸ２インタフェースを使用する。図４、図５に示す応用シーンを例として、ホーム基地局ＡとＢとの間に直接的なＸ２インタフェースが確立されており、同様に直接的なＸ２インタフェースが確立されているのは、ホーム基地局ＣとＤとの間、及び、マクロ基地局Ａとホーム基地局Ｆとの間である。ゲートウェイエージェントのＸ２インタフェースが確立されているのは、ホーム基地局ＢとＣとの間、ホーム基地局ＤとＥとの間、及び、マクロ基地局Ａとホーム基地局Ｇとの間である。
【００５７】
分かることとして、上記Ｘ２インタフェース管理方法でＸ２インタフェースを確立するときに、次のステップを経て実現する。
【００５８】
第一基地局が、所定のＸ２インタフェース確立条件を満足するか否かを判断し、上記Ｘ２インタフェース確立条件を満足した場合、上記第一基地局と上記第二ホーム基地局との間のＸ２インタフェースを確立するようにトリガーし、なお、上記Ｘ２インタフェース確立条件は、上記第一基地局が、上記第二ホーム基地局に対応する第二セルである新規の隣接セルを発見し、且つ上記新規の隣接セルのアクセスモードがオープンモード又はハイブリッドモードであること、上記第一基地局が上記新規の隣接セルを発見し、上記新規の隣接セルのアクセスモードがクローズドモードであるが、上記第一基地局と第二ホーム基地局に共通のＣＳＧ  ＩＤが配置されていること、上記第一基地局と第二ホーム基地局に共通のＣＳＧ  ＩＤがないが、基地局に対応する第一セルに滞留し且つ上記第一セルと上記第二セルをアクセス可能な端末である特定端末が第一上記第二セルに接近していることを検出し、又は、上記第一基地局に対応する第一セルと上記第二セルとの間の干渉が所定の第一時間内に予め定められた閾値を越えることを検出したこと、上記第一基地局と第二ホーム基地局にＸ２インタフェースが確立されていないとき、上記第一基地局と第二ホーム基地局でＳ１インタフェースを介してハンドオーバが行なわれる頻度が所定の第一閾値を超えるか否かのこと、の少なくとも一つを含む。
【００５９】
上記第一基地局に対応する第一セルと上記第二セルとの間の干渉が所定の第一時間内に予め定められた閾値を越えると、上記第一Ｘ２インタフェースがセル間の干渉抑制情報を伝送し、もって基地局間の干渉抑制制御処理を実現する。干渉抑制情報は、具体的にＯＩ（Ｏｖｅｒｌｏａｄ  Ｉｎｄｉｃａｔｉｏｎ）及び深刻干渉指示ＨＩＩ（Ｈｉｇｈ  Ｉｎｔｅｒｆｅｒｅｎｃｅ  Ｉｎｄｉｃａｔｉｏｎ）情報を含む。基地局でキャリアアグリゲーションがサポートされる場合、干渉抑制情報は、対応するクアリア識別子などの情報を更に含んでもよい。
【００６０】
上記記載からわかるように、本発明の実施例によるＸ２インタフェース管理方法において、異なる応用シーンに応じてＸ２インタフェースの確立をトリガーし、具体的な応用環境に応じて例えば直接的なＸ２インタフェースを確立するか、それともゲートウェイエージェントのＸ２インタフェースを確立するかのような適切なＸ２インタフェースの具体的な確立方式も選択可能となることを実現する。ゲートウェイエージェントのＸ２インタフェースを採用することにより、基地局のＸ２インタフェースの数を減らし、もってＸ２インタフェースによる基地局の資源消耗を軽減できる。一方、直接的なＸ２インタフェースをを採用することにより、ホーム基地局ゲートウェイで保守される転送エントリ情報を減少できる。本発明の実施例によれば、ＬＴＥとＬＴＥ-ＡｄｖａｎｃｅｄシステムにおいてＸ２インタフェースによる拡張性問題とシステムオーバーヘッドを効果的に減少でき、もってハンドオーバをよりよくサポートできる。
【００６１】
上記第一Ｘ２インタフェースが確立された後、本発明の実施例は、実際の応用環境に応じて、上記第一Ｘ２インタフェースを動的に除去することもできる。そのために、本発明の実施例によるＸ２インタフェース管理方法において、上記第一Ｘ２インタフェースを確立した後、次のステップ３６〜３７を含んでもよい。
【００６２】
ステップ３６において、上記第一基地局が所定の第一Ｘ２インタフェースの除去条件を満足するか否かを判断する。上記第一Ｘ２インタフェースは、上記第一基地局と第二ホーム基地局との間に確立されているＸ２インタフェースである。
【００６３】
ステップ３７において、上記第一Ｘ２インタフェースの除去条件を満足したとき、上記第一基地局と上記第二ホーム基地局との間の第一Ｘ２インタフェースを除去する。
【００６４】
なお、上記第一Ｘ２インタフェースの除去条件には、少なくとも次の条件のうちの一つを含む。
【００６５】
１）上記第二ホーム基地局に対応する第二セルが既に上記第一基地局の隣接セルから削除されている。例えば、第二ホーム基地局の閉鎖又は電力減少などの原因で、第二セルが第一基地局の隣接セルリストから削除されることとなり、このとき、両者の間にハンドオーバが再び行なわれないので、Ｘ２インタフェースを除去可能となる。
【００６６】
２）特定端末がすべて上記第二セルから離れていることを検出した。上記特定端末は、基地局に対応する第一セルに滞留し且つ上記第一セルと上記第二セルをアクセス可能な端末である。上記特定端末がないとき、第一セルと第二セルとの間にハンドオーバが発生しないため、Ｘ２インタフェースを除去可能となる。
【００６７】
３）上記第一基地局と第二ホーム基地局との間のＸ２インタフェースを介したハンドオーバの頻度が所定の第二閾値より低いか否か。ハンドオーバの頻度は、ＭＭＥ又はＯＡＭノードで統計可能であり、具体的に単位時間内のハンドオーバ回数である。Ｘ２インタフェースのハンドオーバ頻度が低いとき、Ｓ１インタフェースでハンドオーバの要求を満足できるので、Ｘ２インタフェースの維持を必要としないので、Ｘ２インタフェースを除去可能となる。
【００６８】
４）上記第一セルと第二セルとの間の干渉が所定の第二時間内に上記所定の閾値を超えない。上記所定の第二時間は、予め定められた別の時間であり、上記所定の第一時間とは長さが同一でもよいし異なってもよい。
【００６９】
本実施例において、異なるタイプの第一Ｘ２インタフェースについて、除去方式が異なってくる。
【００７０】
上記第一Ｘ２インタフェースが直接的なＸ２インタフェースであるとき、上記の上記第一基地局と上記第二ホーム基地局との間の第一Ｘ２インタフェースを除去することは、上記第一基地局と第二ホーム基地局において、上記第一Ｘ２インタフェースのコンテクストをそれぞれ削除することを含む。
【００７１】
上記第一Ｘ２インタフェースがゲートウェイエージェントのＸ２インタフェースであるとき、上記の上記第一基地局と上記第二ホーム基地局との間の第一Ｘ２インタフェースを除去することは、第一フラグメントのコンテクストを削除し、更に第二フラグメントのうち上記第一Ｘ２インタフェースに関するコンテクストを削除することを含む。ここで、上記第一フラグメントは、上記第二ホーム基地局とホーム基地局ゲートウェイとの間における上記第一Ｘ２インタフェースのフラグメント部分であり、上記第二フラグメントは、上記第一基地局とホーム基地局ゲートウェイとの間における上記第一Ｘ２インタフェースのフラグメント部分である。
【００７２】
上記のステップを通じて、本発明の実施例では、応用環境の変化に応じてＸ２インタフェースを動的に除去することが実現される。
【００７３】
上記Ｘ２インタフェース管理方法において、ハンドオーバ統計情報に基づいてＸ２インタフェースの除去をトリガーできる。その他、本実施例は、ハンドオーバ統計情報に基づいてＸ２インタフェースの確立もトリガーできる。例えば、上記第一基地局と上記第二ホーム基地局にＸ２インタフェースが確立されていないとき、上記第一基地局は、上記第一基地局と第二ホーム基地局との間のＳ１インタフェースを介したハンドオーバの頻度が所定の第一閾値を越えたか否かを判断する。肯定の場合、上記第一基地局と上記第二ホーム基地局との間に第一Ｘ２インタフェースを確立し、新規確立したＸ２インタフェースでハンドオーバを分担し、Ｓ１インタフェースを介したハンドオーバによるコア網への負荷を減少できる。
【００７４】
本実施例は、第一基地局（送信元基地局。送信元基地局がマクロ基地局かホーム基地局である）から第二ホーム基地局（宛先ホーム基地局）へのハンドオーバ方法を更に提供しており、上記で確立された上記第一Ｘ２インタフェースに応用する。図６に示すように、該ハンドオーバ方法は、次のステップ６０１〜６１４を含む。
【００７５】
ステップ６０１〜６０６において、端末がその測定手段を通じて送信元基地局と宛先ホーム基地局のセルパラメータを取得する。具体的な測定手段は、従来技術と同じであってもよい。
【００７６】
ステップ６０７において、端末が送信元基地局に測定報告を送信する。該測定報告は、宛先ホーム基地局セルのＣＧＩ（Ｃｅｌｌ  Ｇｌｏｂａｌ  Ｉｄｅｎｔｉｆｉｅｒ）、ＴＡＩ（Ｔｒａｃｋｉｎｇ  Ａｒｅａ  Ｉｄｅｎｔｉｆｉｅｒ）、ＣＳＧ  ＩＤ、メンバ指示（Ｍｅｍｂｅｒ  Ｉｎｄｉｃａｔｉｏｎ）などのパラメータを含む。
【００７７】
ステップ６０８において、送信元基地局が端末の測定報告を受信し、送信元基地局と宛先基地局の信号品質が所定の条件を満足したとき、上記端末を宛先ホーム基地局へハンドオーバさせるように要求するハンドオーバ要求メッセージを、上記第一Ｘ２インタフェースを介して宛先ホーム基地局に送信する。該ハンドオーバ要求メッセージには、端末情報、端末から報告された宛先ホーム基地局のアクセスモード、ＣＳＧ  ＩＤなどのパラメータが付されている。
【００７８】
ステップ６０９において、宛先ホーム基地局が上記ハンドオーバ要求メッセージを受信すると、例えばＭＭＥ又はホーム基地局ゲートウェイといったコア網ノードに対して、上記端末が宛先ホーム基地局にアクセス可能かを問い合わせるためのアクセス制御要求を送信する。該アクセス制御要求にも、端末情報、端末から報告された宛先ホーム基地局のアクセスモード、ＣＳＧ  ＩＤなどのパラメータが付されている。
【００７９】
ステップ６１０において、上記コア網ノードが端末の契約情報及び上記アクセス制御要求に伴う宛先ホーム基地局のＣＳＧ  ＩＤなどのパラメータに基づいて、上記端末のハンドオーバに対してアクセス制御処理を行い、上記端末が宛先ホーム基地局にアクセス可能かを判断する。
【００８０】
ステップ６１１において、上記端末が宛先ホーム基地局にアクセス可能である場合、上記コア網ノードが上記宛先ホーム基地局にアクセス制御応答メッセージを返送し、上記端末が宛先ホーム基地局にアクセス可能であることを指示する。
【００８１】
ステップ６１２において、宛先ホーム基地局が上記アクセス制御応答メッセージを受信すると、端末に対して更に身分識別を行い、上記端末から報告された宛先ホーム基地局のＣＳＧ  ＩＤが自身のＣＳＧ  ＩＤであるかを判断する。
【００８２】
ステップ６１３において、上記端末から報告された宛先ホーム基地局のＣＳＧ  ＩＤが上記宛先ホーム基地局自身のＣＳＧ  ＩＤである場合、上記宛先ホーム基地局が上記第一Ｘ２インタフェースを介して上記送信元基地局にハンドオーバ要求確認メッセージを返送し、上記端末の宛先ホーム基地局へのハンドオーバを許可することを指示する。
【００８３】
ステップ６１４において、送信元基地局が上記ハンドオーバ要求確認メッセージを受信すると、上記端末にハンドオーバ指令を送信し、宛先ホーム基地局にハンドオーバするように上記端末に指示する。これからの端末ハンドオーバフローが従来技術と同じであるので、紙面を節約するために重複な記載を避ける。
【００８４】
上記ステップ６１２は選択可能であり、宛先ホーム基地局は、ステップ６１１で上記アクセス制御応答メッセージを受信してから、直接ステップ６１３に進み、上記送信元基地局にハンドオーバ要求確認メッセージを返送して上記端末の宛先ホーム基地局へのハンドオーバを許可することを指示してもよい。
【００８５】
本実施例は、別のハンドオーバ方法も提供し、上記で確立された上記第一Ｘ２インタフェースに応用する。図７に示すように、該ハンドオーバ方法は、次のステップ７０１〜７１４を含む。
【００８６】
ステップ７０１〜７０６において、端末がその測定手段を通じて送信元基地局と宛先ホーム基地局のセルパラメータを取得する。具体的な測定手段は、従来技術と同じであってもよい。
【００８７】
ステップ７０７において、端末が送信元基地局に測定報告を送信する。該測定報告は、宛先ホーム基地局セルのＣＧＩ（Ｃｅｌｌ  Ｇｌｏｂａｌ  Ｉｄｅｎｔｉｆｉｅｒ）、ＴＡＩ（Ｔｒａｃｋｉｎｇ  Ａｒｅａ  Ｉｄｅｎｔｉｆｉｅｒ）、ＣＳＧ  ＩＤ、メンバ指示（Ｍｅｍｂｅｒ  Ｉｎｄｉｃａｔｉｏｎ）などのパラメータを含む。
【００８８】
ステップ７０８において、送信元基地局が端末の測定報告を受信し、送信元基地局と宛先基地局の信号品質が所定の条件を満足したとき、例えばＭＭＥ又はホーム基地局ゲートウェイといったコア網ノードに対して、上記端末が宛先ホーム基地局にアクセス可能かを問い合わせるためのアクセス制御要求を送信する。該アクセス制御要求に端末情報、端末から報告された宛先ホーム基地局のアクセスモード、ＣＳＧ  ＩＤなどのパラメータが付されている。
【００８９】
ステップ７０９において、上記コア網ノードが端末の契約情報及び上記アクセス制御要求に伴う宛先ホーム基地局のＣＳＧ  ＩＤなどのパラメータに基づいて、上記端末のハンドオーバに対してアクセス制御処理を行い、上記端末が宛先ホーム基地局にアクセス可能かを判断する。
【００９０】
ステップ７１０において、上記端末が宛先ホーム基地局にアクセス可能である場合、上記コア網ノードが上記送信元ホーム基地局にアクセス制御応答メッセージを返送し、上記端末が宛先ホーム基地局にアクセス可能であることを指示する。
【００９１】
ステップ７１１において、上記送信元基地局が上記アクセス制御応答メッセージを受信すると、上記端末を宛先ホーム基地局にハンドオーバさせるように要求するためのハンドオーバ要求メッセージを、上記第一Ｘ２インタフェースを介して上記宛先ホーム基地局に送信する。該ハンドオーバ要求メッセージにも端末情報、端末から報告された宛先ホーム基地局のアクセスモード、ＣＳＧ  ＩＤなどのパラメータが付されている。
【００９２】
ステップ７１２において、宛先ホーム基地局が上記アクセス制御応答メッセージを受信すると、端末に対して更に身分識別を行い、上記端末から報告された宛先ホーム基地局のＣＳＧ  ＩＤが自身のＣＳＧ  ＩＤであるかを判断する。
【００９３】
ステップ７１３において、上記端末から報告された宛先ホーム基地局のＣＳＧ  ＩＤが上記宛先ホーム基地局自身のＣＳＧ  ＩＤである場合、上記宛先ホーム基地局が上記第一Ｘ２インタフェースを介して上記送信元基地局にハンドオーバ要求確認メッセージを返送し、上記端末の宛先ホーム基地局へのハンドオーバを許可することを指示する。
【００９４】
ステップ７１４において、送信元基地局が上記ハンドオーバ要求確認メッセージを受信すると、上記端末にハンドオーバ指令を送信し、宛先ホーム基地局にハンドオーバするように上記端末に指示する。これからの端末ハンドオーバフローが従来技術と同じであるので、紙面を節約するために重複な記載を避ける。
【００９５】
上記ステップ７１２は選択可能であり、宛先ホーム基地局は、ステップ７１１で上記ハンドオーバ要求メッセージを受信してから、直接ステップ７１３に進み、上記送信元基地局にハンドオーバ要求確認メッセージを返送して上記端末の宛先ホーム基地局へのハンドオーバを許可することを指示してもよい。
【００９６】
図７のフローでは、送信元基地局がまずアクセス制御要求を送信することにより上記端末が宛先ホーム基地局にアクセス可能かを判断しているが、いったん上記端末が宛先ホーム基地局にアクセスできないと、宛先ホーム基地局にハンドオーバ要求を送信する必要がなくなり、もって必要のないシグナリング伝送オーバーヘッドを軽減できる。
【００９７】
本発明の実施例では、干渉抑制方法も提供している。該方法は、第一基地局が、第二ホーム基地局に対応する第二セルである新規隣接セルを発見する工程と、上記第一基地局が上記第二セルのアクセスモードを判断する工程と、上記第二セルのアクセスモードがクローズドモードであるとき、上記第一基地局と第二ホーム基地局に共通のクローズドサブスクライバグループ識別子が配置されているか否かを判断する工程と、上記第一基地局と第二ホーム基地局に共通のクローズドサブスクライバグループ識別子がないとき、上記第一基地局に対応する第一セルと上記第二セルとの間の干渉が所定の第一時間内に予め定められた閾値を超えることを検出すると、上記第一基地局と上記第二ホーム基地局との間の第一Ｘ２インタフェースを確立する工程と、上記第一Ｘ２インタフェースを介してセル間の干渉抑制情報を伝送し、上記干渉抑制情報に基づいて干渉抑制を行なう工程とを含む。
【００９８】
上記ステップでは、上記干渉抑制情報は、異なるキャリアのキャリア周波数ポイント、周波数識別子、オーバロード指示ＯＩ（Ｏｖｅｒｌｏａｄ  Ｉｎｄｉｃａｔｉｏｎ）及び深刻干渉指示ＨＩＩ（Ｈｉｇｈ  Ｉｎｔｅｒｆｅｒｅｎｃｅ  Ｉｎｄｉｃａｔｉｏｎ）情報などを含む。
【００９９】
Ｘ２インタフェースの帯域幅を考慮すると、本実施例は、更に上記第一Ｘ２インタフェースの使用可能帯域幅を検査し、該使用可能帯域幅に基づいて干渉抑制情報のインタワーク頻度を動的に調整する。例えば、第一Ｘ２インタフェースの使用可能帯域幅が高いほど、上記インタワーク頻度も高くなるが、逆に、第一Ｘ２インタフェースの使用可能帯域幅が小さいほど、上記インタワーク頻度も小さくなる。
【０１００】
従来技術では、ｅＮＢ向けのＸ２インタフェースに基づく干渉制御技術案がＨｅＮＢには適していない。まず、従来技術では、ＨｅＮＢとｅＮＢ間、又はＨｅＮＢとＨｅＮＢ間のＸ２インタフェースを干渉に基づき確立することについて、サポートできる技術案が一切ない。また、ＨｅＮＢのＸ２インタフェースが帯域幅に限度のある物理リンク（例えば帯域幅の狭いイーサネット（登録商標）又はｘＤＳＬリンク）で確立可能であるが、従来技術では、干渉抑制メッセージのオーバーヘッド問題を減少させる技術案も示していない。
【０１０１】
本発明の実施例による上記方法は、従来技術における上記欠陥に対して具体的な解決方法を示し、干渉に基づきＸ２インタフェースを確立可能となり、帯域幅に基づき干渉抑制情報のインタワーク頻度を制御し、干渉制御メッセージの送信頻度を調整し、もってＸ２インタフェースが干渉抑制の原因でオーバロードになることのないように保証する。第一基地局との第二ホーム基地局との間に大きい帯域幅例えば光ネットワーク又はブロードバンドのイーサネット（登録商標）が存在する場合、干渉抑制メッセージが高頻度のインタワークを行なうことができ、もってよりよい干渉抑制効果に達する。
【０１０２】
上記記載をまとめると、本発明の実施例によるＸ２インタフェース管理方法は、Ｘ２インタフェースを動的に確立・除去し、具体的な応用環境に応じてＸ２インタフェースの確立方式も選択可能である。ＬＴＥとＬＴＥ-ＡｄｖａｎｃｅｄシステムにおいてＸ２インタフェースによる拡張性問題とシステムオーバーヘッドを効果的に減少でき、もってハンドオーバをよりよくサポートできる。
【０１０３】
最後、上記方法に基づき、本発明の実施例では、第一基地局を更に提供している。図８に示すように、該第一基地局は、自第一基地局の、第二ホーム基地局に対応する第二セルである新規隣接セルを発見するための発見手段と、上記第二セルのアクセスモードを判断するための第一判断手段と、上記第二セルのアクセスモードがオープンモード又はハイブリッドモードであるとき、上記自第一基地局と上記第二ホーム基地局との間のＸ２インタフェースを確立するための確立手段とを含む。
【０１０４】
好ましい実施形態として、上記第一基地局は、上記第二セルのアクセスモードがクローズドモードであるとき、上記第一基地局と第二ホーム基地局に共通のクローズドサブスクライバグループ識別子が配置されているか否かを判断するための第二判断手段をさらに含み、上記確立手段は、上記第一基地局と第二ホーム基地局に共通のクローズドサブスクライバグループ識別子が配置されているとき、上記第一基地局と上記第二ホーム基地局との間のＸ２インタフェースを確立する。
【０１０５】
好ましい実施形態として、上記第一基地局は、上記第二セルに接近している特定端末があるか否かを検出するための第一検出手段をさらに含み、上記特定端末とは、第一基地局に対応する第一セルに滞留し且つ上記第一セルと上記第二セルをアクセス可能な端末であり、上記の上記第二セルに接近しているとは、上記特定端末には一定時間内に上記第二セルに進入する可能性があること、又は、上記特定端末と上記第二セルのカバー境界との間の距離が所定距離より小さいことであり、上記確立手段は、上記第一基地局と第二ホーム基地局に共通のクローズドサブスクライバグループ識別子がないとき、上記第二セルに接近している特定端末を上記第一検出手段でいったん検出すると、上記第一基地局と上記第二ホーム基地局との間のＸ２インタフェースを確立する。
【０１０６】
好ましい実施形態として、上記第一基地局は、上記第一基地局に対応する第一セルと上記第二セルとの間の干渉を検出し、上記干渉が所定の第一時間内に予め定められた閾値を越えるか否かを判断するための第二検出手段をさらに含み、上記確立手段は、上記第一基地局と第二ホーム基地局に共通のクローズドサブスクライバグループ識別子がないとき、上記干渉が所定の第一時間内に予め定められた閾値を越えることを上記第二検出手段でいったん検出すると、上記第一基地局と上記第二ホーム基地局との間のＸ２インタフェースを確立する。
【０１０７】
好ましい実施形態として、上記第一基地局の上記確立手段は、上記第一基地局がマクロ基地局であるとき、上記第二ホーム基地局がホーム基地局ゲートウェイを介して移動性管理実体に接続するか否かを判断し、肯定の場合、上記第一基地局と上記第二ホーム基地局との間にゲートウェイエージェントのＸ２インタフェースを確立し、否定の場合、上記第一基地局と上記第二ホーム基地局との間に直接的なＸ２インタフェースを確立するための第一処理手段と、上記第一基地局がホーム基地局であるとき、上記第一基地局と第二ホーム基地局が同一の移動性管理実体又は同一のホーム基地局ゲートウェイに接続するか否かを判断し、肯定の場合、上記第一基地局と上記第二ホーム基地局との間に直接的なＸ２インタフェースを確立し、否定の場合、上記第一基地局と上記第二ホーム基地局との間にゲートウェイエージェントのＸ２インタフェースを確立するための第二処理手段とを含む。
【０１０８】
好ましい実施形態として、上記第一基地局は、自第一基地局と第二ホーム基地局との間に第一Ｘ２インタフェースが確立されており、第一基地局は、所定のＸ２インタフェース除去条件を満足するか否かを判断するための第３判断手段と、上記第３判断手段によって上記Ｘ２インタフェース除去条件を満足したと判断されたとき、上記第一基地局と上記第二ホーム基地局との間の第一Ｘ２インタフェースを除去するための除去手段とをさらに含む。
【０１０９】
なお、上記Ｘ２インタフェース除去条件には、上記第二ホーム基地局に対応する第二セルが既に上記第一基地局の隣接セルから削除されていること、第一基地局に対応する第一セルに滞留し且つ上記第一セルと上記第二セルをアクセス可能な端末である特定端末がすべて上記第二セルから離れていることを検出したこと、上記第一基地局と第二ホーム基地局との間のＸ２インタフェースを介したハンドオーバの頻度が所定の第二閾値より低いか否かのこと、上記第一セルと第二セルとの間の干渉が所定の第二時間内に上記所定の閾値を超えないことの少なくとも一つを含む。
【０１１０】
好ましい実施形態として、上記第一基地局の上記除去手段は、上記第一Ｘ２インタフェースが直接的なＸ２インタフェースであるとき、上記第一基地局と第二ホーム基地局において上記第一Ｘ２インタフェースのコンテクストをそれぞれ削除するための第一処理手段と、上記第一Ｘ２インタフェースがゲートウェイエージェントのＸ２インタフェースであるとき、上記第二ホーム基地局とホーム基地局ゲートウェイとの間における上記第一Ｘ２インタフェースのフラグメント部分である第一フラグメントのコンテクストを削除し、更に、上記第一基地局とホーム基地局ゲートウェイとの間における上記第一Ｘ２インタフェースのフラグメント部分である第二フラグメントのうち、上記第一Ｘ２インタフェースに関するコンテクストを削除するための第二処理手段とを含む。
【０１１１】
好ましい実施形態として、上記第一基地局は、上記第一基地局と上記第二ホーム基地局にＸ２インタフェースが確立されていないとき、第一基地局と第二ホーム基地局との間のＳ１インタフェースを介したハンドオーバの頻度が所定の第一閾値を越えたか否かを判断するための第四判断手段をさらに含み、上記確立手段は、上記Ｓ１インタフェースを介したハンドオーバの頻度が所定の第一閾値を越えたとき、上記第一基地局と上記第二ホーム基地局との間の第一Ｘ２インタフェースを確立する。
【０１１２】
本発明の実施例では、端末のハンドオーバを実現するシステムを更に提供しており、該システムは、上記第一基地局、第二ホーム基地局及び移動性管理実体を含み、上記第一基地局と上記第二ホーム基地局との間に上記第一Ｘ２インタフェースが確立されている。端末のハンドオーバを実現するシステムにおいて、送信元基地局である第一基地局が、端末に対するハンドオーバ要求メッセージを、上記第一Ｘ２インタフェースを介して宛先基地局である第二ホーム基地局に送信し、上記第二ホーム基地局が上記ハンドオーバ要求メッセージを受信すると、移動性管理実体にアクセス制御要求メッセージを送信し、上記移動性管理実体が上記端末の契約情報に基づいて、アクセス制御応答メッセージを上記第二ホーム基地局に返送し、上記第二ホーム基地局が上記アクセス制御応答メッセージに基づいて、上記端末のハンドオーバを許可するか否かのハンドオーバ要求応答メッセージを、上記第一Ｘ２インタフェースを介して上記第一基地局に返送し、上記ハンドオーバ要求応答メッセージによって上記端末のハンドオーバを許可することが示されるとき、上記第一基地局が上記端末にハンドオーバ指令を送信し、上記第二ホーム基地局に対応するセルにハンドオーバするように上記端末を制御する。
【０１１３】
本発明の実施例では、端末のハンドオーバを実現する別のシステムを更に提供しており、該システムは、上記第一基地局、上記第二ホーム基地局及び、例えば移動性管理実体又はホーム基地局ゲートウェイといったコア網ノードを含み、上記第一基地局と上記第二ホーム基地局との間に上記第一Ｘ２インタフェースが確立されている。端末のハンドオーバを実現するシステムにおいて、送信元基地局である第一基地局が、上記第一基地局に対応する第一セルから上記第二ホーム基地局に対応する第二セルへの端末のハンドオーバを要求するための、上記端末に対するアクセス制御要求メッセージを、例えば移動性管理実体又はホーム基地局ゲートウェイといったコア網ノードに送信し、上記コア網ノードが上記端末の契約情報に基づいて、アクセス制御応答メッセージを上記第一基地局に返送し、上記アクセス制御応答メッセージによって上記端末のハンドオーバを許可することが示されるとき、上記第一基地局が、端末に対するハンドオーバ要求メッセージを、上記第一Ｘ２インタフェースを介して上記第二ホーム基地局に送信し、上記第二ホーム基地局が上記ハンドオーバ要求メッセージを受信すると、上記端末のハンドオーバを許可するハンドオーバ要求応答メッセージを上記第一Ｘ２インタフェースを介して上記第一基地局に返送し、上記第一基地局が上記ハンドオーバ要求メッセージを受信すると、ハンドオーバ指令を上記端末に送信し、上記第二ホーム基地局に対応するセルにハンドオーバするように上記端末を制御する。
【０１１４】
本発明の実施例では、干渉抑制を実現するシステムを更に提供しており、該システムは、上記第一基地局、上記第二ホーム基地局及びコア網ノードを含み、上記第一基地局と上記第二ホーム基地局との間に上記第一Ｘ２インタフェースが確立されており、端末のハンドオーバを実現するシステムにおいて、上記第一基地局と上記第二ホーム基地局とは、上記第一Ｘ２インタフェースを介してセル間の干渉抑制情報を伝送し、上記干渉抑制情報に基づいて干渉抑制を行なう。
【０１１５】
本発明の実施例による方法、装置及びシステムは、明細書や実施形態に列挙されている運用に限られることはなく、本発明が適する各分野における適用にまったく問題がない。本分野を熟知する者にとって、容易にその他の利点を容易に実現し、修正することが可能である。従って、特許請求の範囲及び同等の範囲で限定されている一般的な概念の要旨と範囲に反しない限り、本発明は、特定された細部、代表性のある設備及びここで示されて記載されている図示事例に限られない。
【図１】
0005898907.tif 000002
【図２】
0005898907.tif 000003
【図３】
0005898907.tif 000004
【図４】
0005898907.tif 000005
【図５】
0005898907.tif 000006
【図６】
0005898907.tif 000007
【図７】
0005898907.tif 000008
【図８】
0005898907.tif 000009